(57)【要約】【課題】キャリッジおよびローラーを支持するフレーム構造において、必要な強度を確保しつつ小型化を達成することができる記録装置を提供する。【解決手段】インクジェットヘッド３ａを搭載したキャリッジ３１の往復動をガイドする主ガイド部材３４および副ガイド部材３５と、インクジェットヘッド３ａにより記録処理を行った用紙Ｐを搬送する排紙ローラー４４と、排紙ローラー４４を支持する排出フレーム７１と、を備え、副ガイド部材３５と排出フレーム７１とは一体に形成されている。【選択図】図５
2012187792.tif 000002
【特許請求の範囲】
【請求項１】
インクジェットヘッドを搭載したキャリッジの往復動をガイドする主ガイド部材および副ガイド部材と、
前記インクジェットヘッドにより記録処理を行った記録媒体を搬送するローラーと、
前記ローラーを支持するローラーフレームと、を備え、
前記副ガイド部材と前記ローラーフレームとは一体に形成されていることを特徴とする記録装置。
【請求項２】
前記主ガイド部材および前記ローラーフレームの両端部をそれぞれ支持する一対の立設フレームを更に備え、
前記キャリッジは、前記主ガイド部材および前記副ガイド部材により起立姿勢で支持されていることを特徴とする請求項１に記載の記録装置。
【請求項３】
前記副ガイド部材は、板状の部材を前記キャリッジ側に折り曲げた一方の端部に形成されていることを特徴とする請求項２に記載の記録装置。
【請求項４】
前記副ガイド部材は、板状の部材を断面「Ｖ」字状に折り曲げた一方の端部に形成されていることを特徴とする請求項２に記載の記録装置。
【請求項５】
前記副ガイド部材は、板状の部材を断面「Ｕ」字状に折り曲げた一方の端部に形成されていることを特徴とする請求項２に記載の記録装置。
【請求項６】
前記副ガイド部材は、板状の部材を断面クランク状に折り曲げた一方の端部に形成されていることを特徴とする請求項２に記載の記録装置。
【請求項７】
前記副ガイド部材および前記ローラーフレームをアースするためのアース片を、更に備え、
前記副ガイド部材と前記ローラーフレームとは、板金で一体に成形され、
前記アース片は、前記副ガイド部材および前記ローラーフレームと共に前記板金で一体に成形されていることを特徴とする請求項３ないし６のいずれかに記載の記録装置。
【請求項８】
前記ローラーは、当該ローラーを回転自在に保持するローラーホルダーを介して、前記ローラーフレームに支持され、
前記キャリッジは、前記ローラーフレームの一方の面側に配設され、前記ローラーおよび前記ローラーホルダーは、前記ローラーフレームの他方の面側に配設されていることを特徴とする請求項３ないし７のいずれかに記載の記録装置。
【請求項９】
前記ローラーフレームは、前記一方の面側に前記キャリッジに接触する凸部を有していることを特徴とする請求項８に記載の記録装置。
【発明の詳細な説明】
【技術分野】
【０００１】
本発明は、インクジェットヘッドを搭載したキャリッジの往復動を上下２箇所でガイドする記録装置に関する。
【背景技術】
【０００２】
従来、インクジェットヘッドを搭載したキャリッジの往復動をガイドする主ガイド部材（メインガイドロッド）および副ガイド部材（フロントガイドロッド）と、インクジェットヘッドにより印刷を行った用紙を排出する排出機構（搬送ローラー、搬送従動ローラーおよび搬送ベルト）と、を備えた記録装置が知られている（特許文献１参照）。
この記録装置は、テンションを与えた搬送ベルト上に用紙を付着させ、搬送ローラーを駆動することで用紙を搬送（排出）するようになっている。
【先行技術文献】
【特許文献】
【０００３】
【特許文献１】特開２００１−０３０５６２号公報
【発明の概要】
【発明が解決しようとする課題】
【０００４】
従来の記録装置の排出機構は、その構成上、副ガイド部材とは別個のフレームに支持されている。したがって、副ガイド部材と、排出機構を支持するフレームとは、それぞれが必要な剛性（強度）を確保しなければならなかった。
特に、インクジェットヘッドによる印刷の精度を考慮すると、副ガイド部材は、キャリッジの往復動に伴って撓まない強度を必要とする。そのため、副ガイド部材が撓まないように剛性を単独で確保するためには、副ガイド部材を太く形成する、または、往復動方向に多数の補強部材を設ける必要があった。この場合、記録装置内に大きな配設スペースを確保する必要があった。
【０００５】
本発明は、キャリッジおよびローラーを支持するフレーム構造において、必要な強度を確保しつつ小型化を達成することができる記録装置を提供することを課題とする。
【課題を解決するための手段】
【０００６】
本発明の記録装置は、インクジェットヘッドを搭載したキャリッジの往復動をガイドする主ガイド部材および副ガイド部材と、インクジェットヘッドにより記録処理を行った記録媒体を搬送するローラーと、ローラーを支持するローラーフレームと、を備え、副ガイド部材とローラーフレームとは一体に形成されていることを特徴とする。
【０００７】
この構成によれば、副ガイド部材は、一体に形成されたローラーフレームに支えられるため、副ガイド部材の剛性（強度）を容易に確保することができる。また、リブ等の補強部分を兼用することができるため、副ガイド部材およびローラーフレームを、それぞれを単独で設けた場合に比べて、コンパクトに構成することができる。これにより、記録装置内における副ガイド部材およびローラーフレームの配設スペースを小さくすることができる。したがって、撓みのない副ガイド部材を構成することができるため、インクジェットヘッドと記録の対象物とを互いに平行に維持（平行度を維持）することができ、かつ、記録装置の小型化により設置スペースを抑制することができる。
【０００８】
この場合、主ガイド部材およびローラーフレームの両端部をそれぞれ支持する一対の立設フレームを更に備え、キャリッジは、主ガイド部材および副ガイド部材により起立姿勢で支持されていることが好ましい。
【０００９】
この構成によれば、キャリッジの適切な往復動を確保しつつ、記録装置を更に小型化することができる。
【００１０】
この場合、副ガイド部材は、板状の部材をキャリッジ側に折り曲げた一方の端部に形成されていることが好ましい。
【００１１】
また、この場合、副ガイド部材は、板状の部材を断面「Ｖ」字状に折り曲げた一方の端部に形成されていることが好ましい。
【００１２】
また、この場合、副ガイド部材は、板状の部材を断面「Ｕ」字状に折り曲げた一方の端部に形成されていることが好ましい。
【００１３】
また、この場合、副ガイド部材は、板状の部材を断面クランク状に折り曲げた一方の端部に形成されていることが好ましい。
【００１４】
これらの構成によれば、キャリッジは、副ガイド部材に対し、一方から臨んで支持される。例えば、キャリッジが、副ガイド部材を狭持した状態や、「Ｖ」字または「Ｕ」字の内側に支持された状態などの構成を採ることができる。これにより、キャリッジは、主ガイド部材および副ガイド部材により起立姿勢に維持される。
【００１５】
この場合、副ガイド部材およびローラーフレームをアースするためのアース片を、更に備え、副ガイド部材とローラーフレームとは、板金で一体に成形され、アース片は、副ガイド部材およびローラーフレームと共に板金で一体に成形されていることが好ましい。
【００１６】
この構成によれば、副ガイド部材、ローラーフレームおよびアース片は、一体に板金で形成されており、かつ、アース片は接地されている。これにより、ローラーフレームを利用して、電子基板等から発生する電磁波等のノイズをシールドすることができる。
【００１７】
また、この場合、ローラーは、当該ローラーを回転自在に保持するローラーホルダーを介して、ローラーフレームに支持され、キャリッジは、ローラーフレームの一方の面側に配設され、ローラーおよびローラーホルダーは、ローラーフレームの他方の面側に配設されていることが好ましい。
【００１８】
この構成によれば、キャリッジと、ローラーとが、干渉することがない。また、両者をローラーフレームにバランス良く支持させることができる。これにより、キャリッジを精度良く往復動させることができる。
【００１９】
この場合、ローラーフレームは、一方の面側にキャリッジに接触する凸部を有していることが好ましい。
【００２０】
この構成によれば、キャリッジは、副ガイド部材および凸部にガイドされて往復動する。これにより、キャリッジは、平行度が維持された適切な往復動をすることができる。なお、凸部は、キャリッジの往復動方向に延在していることが好ましい。
【図面の簡単な説明】
【００２１】
【図１】記録装置の外観斜視図である。
【図２】用紙を給送ローラーから離間させた状態の記録装置の側断面図である。
【図３】用紙を給送ローラーに圧接させた状態の記録装置の側断面図である。
【図４】筐体を取り外した状態の記録装置の斜視図である。
【図５】第１実施形態に係る装置フレームの斜視図（正面方向）である。
【図６】第１実施形態に係る装置フレームの斜視図（背面方向）である。
【図７】第１実施形態に係る印刷部の側断面図である。
【図８】第１実施形態に係る印刷部の正面断面図である。
【図９】第２実施形態に係る印刷部の側断面図である。
【図１０】（ａ）は、第３実施形態に係る排出フレーム、副スライド部およびガイド機構の側断面図であり、（ｂ）は、その変形例の側断面図である。
【発明を実施するための形態】
【００２２】
以下、添付の図面を参照しながら、本発明の一実施形態に係る記録装置について説明する。この記録装置は、起立姿勢で保持した用紙（記録媒体）を搬送しながら所望の記録を行い、排紙した記録済みの用紙を起立状態で保持（ストック）するものである。なお、各図に示す通り、Ｘ軸（左右）方向、Ｙ軸（前後）方向およびＺ軸（上下）方向を規定して、以降説明する。
【００２３】
図１ないし図４に示すように、記録装置１は、Ｘ軸およびＹ軸方向よりもＺ軸方向の寸法が大きく形成された薄型の箱状体を成す筐体２によって外観が構成されている。なお、所謂縦置き型の記録装置１は、Ｘ軸およびＹ軸方向の寸法を小さくすることで設置面積が小さくなるように構成されている。また、Ｘ軸方向の寸法は、使用する用紙Ｐの最大幅により決定されるため、Ｙ軸方向の寸法を抑えることにより、設置面積の抑制を図っている。
【００２４】
また、記録装置１は、搬送路上に臨む用紙Ｐにインクジェット方式で印刷処理を行う印刷部３（図７参照）と、枚葉の用紙Ｐを搬送路に沿って送る搬送部４と、用紙Ｐを起立姿勢で収容し、筐体２に対し着脱自在に装着される記録媒体カセット５と、搬送部４や印刷部３などを支持する装置フレーム６（図５および図６参照）と、装置全体を統括制御する制御装置（図示省略）と、を備えている。
【００２５】
筐体２の上面には、操作ボタン等が配置された操作パネル２１と、ＰＣ等に接続するためのケーブルが接続されるケーブル端子２２と、複数のインクカートリッジ（図示省略）を着脱可能に装着するカートリッジ装着部（図示省略）を開閉するカートリッジカバー２３と、が設けられている。また、筐体２の上面には、記録が行われた用紙Ｐ（記録媒体）を排出するための用紙排出口２４を開閉する用紙排出口カバー２５が設けられている。なお、用紙排出口カバー２５は、ユーザーによって開閉されるものであるが、仮に閉じた状態で記録が実行された場合でも、図外の開閉機構によって自動的に開くようになっている。
【００２６】
印刷部３は、後述する一対の搬送ローラー４２の下流側に配設されており、インクジェットヘッド３ａを搭載したキャリッジ３１と、キャリッジ３１の往復動を上下２箇所でガイドするガイド機構３２（図４参照）と、キャリッジ３１を往復動させる移動機構（図示省略）と、インクジェットヘッド３ａに対向位置に設けられた案内部材３３と、を有している。
【００２７】
ガイド機構３２は、Ｘ軸方向に延びる主ガイド部材３４と、主ガイド部材３４に対しＺ軸（上下）方向に離間して配設され、Ｘ軸方向に延びる板状の副ガイド部材３５と、を有している。
【００２８】
キャリッジ３１は、主ガイド部材３４に摺動自在に支持された主スライド部３６と、副ガイド部材３５を挟持した状態で、副ガイド部材３５に摺動自在に支持された副スライド部３７と、を有している。したがって、キャリッジ３１は、Ｚ軸方向に離間した主ガイド部材３４および副ガイド部材３５の一対により、Ｘ軸方向に摺動自在（往復動）に支持されている。
【００２９】
キャリッジ３１は、Ｘ軸方向に延びる主ガイド部材３４に沿って、移動機構（モーター）により往復動可能に設けられている。なお、図２に示すように、キャリッジ３１は、傾斜姿勢（起立姿勢）で設けられるため、主ガイド部材３４を中心として回動しようとする力が生じる。そこで、キャリッジ３１の上方に設けられた副スライド部３７が、Ｘ軸方向に延びる副ガイド部材３５を挟み込むことで、キャリッジ３１の姿勢を一定に保持している。なお、キャリッジ３１およびガイド機構３２についての詳細は後述する。
【００３０】
図示は省略するが、移動機構は、主ガイド部材３４側に設けられた駆動プーリーおよび従動プーリーに対し、主スライド部３６に係合したベルトを掛けたものである。詳細は後述するが、主ガイド部材３４は、副ガイド部材３５よりもＺ軸方向下側に配設されている。また、移動機構も下側の主ガイド部材３４の近傍に設けられているため、記録装置１の重心を低くすることができる。これにより、記録装置１を設置した際の安定性を向上させることができる。
【００３１】
案内部材３３は、搬送経路の一部を構成すると共に、用紙Ｐの記録面とインクジェットヘッド３ａとの間のギャップ（ワークギャップ）を規定する。また、案内部材３３には、インクジェットヘッド３ａと対向する位置に縁無し印刷の際、用紙Ｐ端から外れた領域に吐出されるインクを受ける凹部が形成されている。この凹部の中には、インクを吸収するインク吸収材（図示省略）が設けられている。そして更に、案内部材３３の下方には、打ち捨てられたインクを貯留する廃液タンク（図示省略）が配置されている。
【００３２】
なお、本実施形態は、インクカートリッジがキャリッジ３１から独立して設けられたいわゆるオフキャリッジ型であるが、インクカートリッジがキャリッジ３１に搭載された、いわゆるオンキャリッジ型であってもよい。また、本実施形態では、キャリッジ３１がＸ軸方向に移動しながら記録を行ういわゆるシリアルプリンターであるが、用紙Ｐ幅をカバーする固定式のインクジェットヘッド３ａを用いてもよい。さらに、インクジェット方式に限らず、その他の記録方式であってもよい。
【００３３】
搬送部４は、上流側から、装着された記録媒体カセット５の先端に対向する位置に設けられ、記録媒体カセット５から供給された用紙Ｐを下流側へと送り出す給送ローラー４１と、用紙Ｐを印刷部３へと搬送する一対の搬送ローラー４２と、印刷部３の案内部材３３から用紙Ｐの浮き上がりを防止する案内ローラー４３と、記録の行われた用紙Ｐを印刷部３から排出する一対の排紙ローラー４４と、を有している。
【００３４】
給送ローラー４１は、用紙Ｐの先端と接した状態で、図外のモーターにより回転することにより用紙Ｐを下方へと送り出す。給送ローラー４１の外周面に対向位置には、用紙Ｐが湾曲反転する略Ｕ字状の搬送経路を形成するガイド部材４５が配設されている。なお、符号４６は、給送ローラー４１による用紙Ｐの送り出しを補助する補助従動ローラーである。すなわち、給送ローラー４１と補助従動ローラー４６とでニップローラーの形態を為している。
【００３５】
一対の搬送ローラー４２は、図外の駆動モーターにより回転駆動される搬送駆動ローラー４２ａと、図外の付勢手段により搬送駆動ローラー４２ａに向かって付勢されている搬送従動ローラー４２ｂと、を有し、ニップローラーの形態を為している。搬送従動ローラー４２ｂは、搬送駆動ローラー４２ａとの間で用紙Ｐを挟圧することで従動回転する。
【００３６】
一対の排紙ローラー４４は、図外の駆動モーターにより回転駆動される排紙駆動ローラー４４ａと、図外の付勢手段により排紙駆動ローラー４４ａに向かって付勢されている排紙従動ローラー４４ｂと、を有し、ニップローラーの形態を為している。排紙駆動ローラー４４ａは、その表面がゴム等により形成されている。排紙従動ローラー４４ｂは、拍車状（スターホイール）に形成され、排紙駆動ローラー４４ａとの間で用紙Ｐを挟圧することで従動回転する。なお、排紙従動ローラー４４ｂおよび案内ローラー４３は、ローラーホルダー４７に回転自在に保持されている。
【００３７】
なお、図示は省略するが、給送ローラー４１、搬送駆動ローラー４２ａおよび排紙駆動ローラー４４ａは、それぞれ、用紙Ｐの幅方向（Ｘ軸方向）に延びる回転軸と、回転軸に適宜の間隔で複数軸着したローラー本体と、から構成されている。また、図４に示すように、補助従動ローラー４６、搬送従動ローラー４２ｂ、案内ローラー４３および排紙従動ローラー４４ｂは、それぞれ、回転軸に軸着したローラー本体がＸ軸方向に適宜の間隔で複数配設されている。
【００３８】
下方へと送り出された用紙Ｐは、給送ローラー４１およびガイド部材４５によって上向きに反転させられ、一対の搬送ローラー４２へと送られる。用紙Ｐは、一対の搬送ローラー４２の間に挟まれて、印刷部３に送られる。印刷部３で記録の行われた用紙Ｐは、案内ローラー４３および一対の排紙ローラー４４を介して、記録媒体カセット５の保持面６１（後述する。）に摺接しながら上方に移動する（図３の破線参照）。排紙された用紙Ｐは、その下端が排紙駆動ローラー４４ａの近傍の装置フレーム６に設けられた受容部６２に起立姿勢で支持される。なお、案内ローラー４３は、拍車状のローラー（スターホイール）により構成されている。
【００３９】
受容部６２は、排紙駆動ローラー４４ａ側の先端部分が上方に屈曲しており、支持した用紙Ｐの下端が脱落したり、排紙駆動ローラー４４ａに接触しないようになっている。また、受容部６２は、適宜の間隔で複数配置された排紙駆動ローラー４４ａの間に入り込むようにして、Ｘ軸方向に適宜の間隔で複数配置されている。つまり、受容部６２は、全体として略櫛歯形状に形成されている。
【００４０】
続いて、図２および図３を参照して、記録媒体カセット５について説明する。記録媒体カセット５は、筐体２に対してＺ軸方向にスライドすることで着脱可能に構成されている。また、記録媒体カセット５を取り外すことで記録装置１の内部が露出するため、搬送経路に用紙Ｐが詰まった等の不具合を容易に解消することができる。
【００４１】
記録媒体カセット５は、装着時に筐体２と面一になり、記録装置１の概観をなすカセット筐体部５３と、トレイ状に形成された本体トレイ５４と、用紙Ｐを収容する用紙収容空間Ｓを開閉する上部外側カバー５５と、上部外側カバー５５に対し、本体トレイ５４の上端から突出するようにスライド可能に設けられた上部内側カバー５６と、本体トレイ５４に対し、本体トレイ５４の上端から突出するようにスライド可能に設けられた上部スライドトレイ５７と、上部外側カバー５５に対し、Ｘ軸方向にスライド可能に設けられたエッジガイド５８と、用紙収容空間Ｓに収容した用紙Ｐの先端を揺動させる可動トレイ５９と、を備えている。
【００４２】
本体トレイ５４の下端部には、収容した用紙Ｐの先端を支持する用紙先端支持壁５４ａが形成されている。記録媒体カセット５が装着された状態において収容された用紙Ｐは、その先端が用紙先端支持壁５４ａに当接した状態で支持される。
【００４３】
上部外側カバー５５は、本体トレイ５４の上下方向略中央部に設けられた左右一対の回動支点５５ａを中心に回動するようになっている。上部外側カバー５５を開放することにより、用紙収容空間Ｓが表れて、用紙Ｐの収容が可能となる。また、上部外側カバー５５の外面（装着時に装置内側に向く面）は、記録済みの用紙Ｐを保持する（蓄える）ための保持面６１として機能している。
【００４４】
上部内側カバー５６は上部外側カバー５５に対し、また、上部スライドトレイ５７は本体トレイ５４に対し、それぞれスライドすることで、用紙ＰのＺ軸方向の長さに合わせて、用紙収容空間Ｓを伸縮させることができる。また、上部内側カバー５６を延ばした場合は、上部外側カバー５５の外面から連なるように上部内側カバー５６の外面が延在し、保持面６１がＺ軸方向に延長される。
【００４５】
エッジガイド５８は、用紙収容空間Ｓに収容された用紙Ｐをガイドする供給側ガイド６４と、保持面６１に保持された用紙Ｐをガイドする排出側ガイド６５と、上部外側カバー５５を貫通しＸ軸方向に延在して形成された長穴５５ｂに摺動自在に支持され、供給側ガイド６４と排出側ガイド６５とを連結するガイド連結部６６と、を有している。このため、供給側ガイド６４または排出側ガイド６５のうちどちらか一方を変位させることにより、他方も同時に変位させることができる。
【００４６】
供給側ガイド６４には、上記した左右一対の回動支点５５ａと同軸にガイド回動支点６７が設けられている。したがって、ガイド回動支点６７より上側の供給側ガイド６４は、上部外側カバー５５と共に回動する。また、上記した左右一対の揺動支点５９ａは、回動支点５５ａおよびガイド回動支点６７よりも僅かに下方かつ後方に位置ずれして設けられている。これにより、ガイド回動支点６７より下側の供給側ガイド６４は、可動トレイ５９と共に回動可能となっている。
【００４７】
可動トレイ５９は、本体トレイ５４の下側に設けられ、左右一対の揺動支点５９ａを中心に回動し、収容された用紙Ｐの先端を、給送ローラー４１に圧接させる状態（図３参照）と、離間させる状態（図２参照）と、の間を揺動する（いわゆるホッパー）。また、可動トレイ５９には、用紙Ｐの先端に対応する位置に、給送ローラー４１が圧接できるように、Ｘ軸方向に沿って適宜の間隔で複数の接触開口部５９ｂが形成されている。
【００４８】
次に、図５および図６に示すように、装置フレーム６は、ローラーホルダー４７を支持すると共に、副ガイド部材３５が一体に形成された排出フレーム７１と、主ガイド部材３４を支持するガイドフレーム７２と、ガイドフレーム７２および排出フレーム７１の両端部をそれぞれ支持する一対の立設フレーム７３と、を備えている。すなわち、装置フレーム６は、ラーメン構造をなしている。なお、請求項に言う「ローラーフレーム」とは、排出フレーム７１を指す。
【００４９】
排出フレーム７１は、上記したガイド機構３２の副ガイド部材３５と、ローラーホルダー４７を支持するホルダー支持部７４と、副ガイド部材３５とホルダー支持部７４とを連結する連結部７５と、が一体に形成されている。排出フレーム７１は、ホルダー支持部７４の左右両端部分で、一対の立設フレーム７３にネジ止めされている。排出フレーム７１は、１の金属板を、側面から見て逆Ｕ字状に折り曲げられて形成されている。すなわち、連結部７５が、副ガイド部材３５およびホルダー支持部７４のリブ（補強部）として機能している。このため、副ガイド部材３５およびホルダー支持部７４が必要とする剛性（強度）を容易に確保することができる。また、副ガイド部材３５およびホルダー支持部７４を、それぞれを単独で設けた場合に比べて、コンパクトに構成することができる。これにより、記録装置１内における排出フレーム７１（副ガイド部材３５）の配設スペースを小さくすることができる。
【００５０】
排紙従動ローラー４４ｂおよび案内ローラー４３を保持したローラーホルダー４７は、用紙Ｐの搬送経路側（案内部材３３側）からホルダー支持部７４に嵌合して固定されている。他方、キャリッジ３１は、ホルダー支持部７４に対し、ローラーホルダー４７とは反対側の面から臨んでいる。これにより、キャリッジ３１と、排紙従動ローラー４４ｂおよび案内ローラー４３とが、干渉することがない。また、キャリッジ３１とローラーホルダー４７とを、排出フレーム７１にバランス良く支持させることができる。これにより、キャリッジ３１を精度良く往復動させることができる。
【００５１】
また、排出フレーム７１は、副ガイド部材３５および排出フレーム７１をアースするための一対のアース片７６を有している。各アース片７６は、連結部７５の一部が切り欠かれ、折り曲げ部分が伸ばされて、副ガイド部材３５から上方に延在している。各アース片７６には、図外の電子基板がネジにより固定される。これにより、排出フレーム７１を利用して、電子基板等から発生する電磁波等のノイズをシールドすることができる。
【００５２】
ガイドフレーム７２は、金属板を折り曲げて形成されたアングル（Ｌ字）状の部材である。ガイドフレーム７２は、排出フレーム７１の下方に位置し、一対の立設フレーム７３に係合し固定されている。
【００５３】
一対の立設フレーム７３は、左右（Ｘ軸方向）に離間して設けられており、側面から見て上端が細く形成された略台形に形成されている。一対の立設フレーム７３は、ガイドフレーム７２および排出フレーム７１の他に、印刷部３、給送ローラー４１および搬送駆動ローラー４２ａなどの両端部分を支持している。また、一対の立設フレーム７３は、筐体２の内面に固定されている。
【００５４】
次に、図４ないし図６を参照して、ガイド機構３２の主ガイド部材３４および副ガイド部材３５について説明する。主ガイド部材３４は、断面が円形の棒状の部材（丸棒）であり、Ｚ軸方向下側において、ガイドフレーム７２にネジ止めされている。
【００５５】
他方、上記したように、副ガイド部材３５は、排出フレーム７１と一体に形成されている。副ガイド部材３５は、主ガイド部材３４よりもＺ軸方向上側において、排出フレーム７１を介して一対の立設フレーム７３に支持されている。キャリッジ３１は、主ガイド部材３４および副ガイド部材３５により傾斜姿勢（起立姿勢）に維持される。副ガイド部材３５は、排出フレーム７１として一体形成されているため、副ガイド部材３５の剛性（強度）を容易に確保することができる。したがって、撓みのない副ガイド部材３５を構成することができるため、インクジェットヘッド３ａと用紙Ｐとを互いに平行に維持（平行度を維持）することができ、かつ、記録装置１の小型化により設置スペースを抑制することができる。
【００５６】
次に、図４、図７および図８を参照して、キャリッジ３１の主スライド部３６および副スライド部３７について詳細に説明する。図４および図７に示すように、主スライド部３６は、キャリッジ３１のＺ軸方向下端部に設けられている。主スライド部３６は、主ガイド部材３４に上方から係合する係合部８１と、係合部８１に係合した主ガイド部材３４に対して当接する当接部８２と、当接部８２を主ガイド部材３４に向かって付勢する主コイルばね８４を備えた主受け部８３と、を有している。
【００５７】
係合部８１は、主ガイド部材３４の周面に添うように、側面から見て半円形に窪んで形成されている。これにより、キャリッジ３１は、係合部８１に摺動自在に係合した主ガイド部材３４にガイドされて往復動する。
【００５８】
当接部８２は、主ガイド部材３４の周面との接触面が斜めに形成されており、図７においてＺ軸方向右斜め下方から主コイルばね８４に付勢されて主ガイド部材３４に押し当てられる。このため、主コイルばね８４の付勢力は、当接部８２を介して主ガイド部材３４の軸心に向う。
【００５９】
図４、図７および図８に示すように、副スライド部３７は、副ガイド部材３５の一方の面に摺接するスライド受け部８５と、副ガイド部材３５の他方の面に摺接する一対のスライド押圧部８６と、を有している。
【００６０】
スライド受け部８５は、キャリッジ３１の上端面において、Ｘ軸方向略中央から突出して設けられている。スライド受け部８５は、ホルダー支持部７４とは反対側から副ガイド部材３５に摺接している。
【００６１】
各スライド押圧部８６は、キャリッジ３１の上端面において、スライド受け部８５からＸ軸方向両外側に外れた位置に、それぞれ突出して設けられている。詳細には、一対のスライド押圧部８６のＸ軸方向略中央に、スライド受け部８５が配設されている。このように、一対のスライド押圧部８６が互いに離間しているため、移動開始時にキャリッジ３１が慣性により傾く（回動する）ことを抑制することができる。したがって、キャリッジ３１の移動時の振動を低減することができ、インクジェットヘッド３ａと用紙Ｐ（案内部材３３）とを互いに平行に維持（平行度を維持）することができる。これにより、インクジェットヘッド３ａによる記録（印刷）精度を向上させることができる。なお、配設された一対のスライド押圧部８６は、互いに往復動方向により大きく離れていた方が、キャリッジ３１が往復動する際の安定性が向上する。
【００６２】
各スライド押圧部８６は、ホルダー支持部７４側から副ガイド部材３５に摺接する押圧部本体８７と、押圧部本体８７を副ガイド部材３５に向って付勢する副コイルばね９４を備えた付勢部８８と、を有している。
【００６３】
各押圧部本体８７は、Ｙ軸方向から見て矩形に形成されたキャップ状の部材である。各押圧部本体８７には、副ガイド部材３５に摺接する面に、グリス（潤滑材）を貯めておくグリス溝９１がＺ軸方向に延びて凹設されている（図８参照）。各押圧部本体８７が副ガイド部材３５を摺動する際の抵抗を低減することができる。また、各押圧部本体８７には、後述する本体ホルダー９３に当接して副ガイド部材３５側への移動を規制する規制突起９２が設けられている（図８参照）。なお、グリス溝９１を、更にスライド受け部８５に設けてもよい。
【００６４】
各付勢部８８は、押圧部本体８７を摺動自在に保持する本体ホルダー９３と、押圧部本体８７を副ガイド部材３５に向って付勢する副コイルばね９４と、副コイルばね９４の受けとなる副受け部９５と、を有している。
【００６５】
各本体ホルダー９３は、押圧部本体８７が摺動自在に保持されるように、Ｙ軸方向に貫通した枠状の部材であり、キャリッジ３１の上端面から突設されている。各副受け部９５は、キャリッジ３１の上端面から突設され、各本体ホルダー９３の枠内に臨んでいる。
【００６６】
各副コイルばね９４は、基端を副受け部９５に当接し、先端を押圧部本体８７に当接している。すなわち、各副コイルばね９４は、副受け部９５を受けにして押圧部本体８７を押し上げて副ガイド部材３５に押し付けている。なお、各副コイルばね９４は、キャリッジ３１の往復動を妨げない程度の付勢力を有している。
【００６７】
以上の構成によれば、副ガイド部材３５は、一体に形成された排出フレーム７１に支えられるため、その剛性（強度）を容易に確保することができる。また、排出フレーム７１（副ガイド部材３５）をコンパクトに構成することができる。これにより、キャリッジ３１の適切な往復動を確保しつつ、記録装置１の小型化を図ることができる。
【００６８】
なお、本実施形態に係る副スライド部３７は、１つのスライド受け部８５と、２つのスライド押圧部８６と、を備えていたが、スライド受け部８５およびスライド押圧部８６の配設数はそれぞれ任意である。また、スライド受け部８５と、スライド押圧部８６と、の配設位置を互いに入れ替えてもよい。
【００６９】
（第２実施形態）
続いて、第２実施形態に係る排出フレーム７１、副スライド部３７およびガイド機構３２について説明する。なお、第１実施形態に係るものと同様の説明は省略する。
上述した第１実施形態に係る排出フレーム７１は、側面から見て逆Ｕ字状に折り曲げられて形成されていたが、図９に示すように、側面から見てクランク状に折り曲げてもよい。この場合、キャリッジ３１の副スライド部３７は、副ガイド部材３５をＺ軸方向上方から回り込むようにして形成される。詳細には、付勢部８８の本体ホルダー９３が、副ガイド部材３５をＺ軸方向上方から回り込むように逆Ｕ字状に折り曲げられて形成されている。
【００７０】
この構成によっても、副ガイド部材３５の剛性（強度）を、容易に、かつ、コンパクトな構成で、確保することができる。これにより、キャリッジ３１の適切な往復動を確保しつつ、記録装置１の小型化を図ることができる。
【００７１】
（第３実施形態）
続いて、第３実施形態に係る排出フレーム７１、副スライド部３７およびガイド機構３２について説明する。なお、第１および第２実施形態に係るものと同様の説明は省略する。
図１０（ａ）に示すように、第３実施形態に係る排出フレーム７１は、側面から見て「Ｖ」字状に折り曲げられている。すなわち、この排出フレーム７１は、連結部７５が省略され、ホルダー支持部７４と副ガイド部材３５とが鋭角を為すように連接されている。この場合、キャリッジ３１の副スライド部３７は、第１および第２実施形態に係るものと同様に、副ガイド部材３５を、スライド受け部８５とスライド押圧部８６とで狭持する構成とする。
【００７２】
また、図１０（ｂ）に示すように、第３実施形態に係る副スライド部３７の変形例として、「Ｖ」字状の内側に副スライド部３７を臨ませ、副ガイド部材３５の下面に摺接する構成としてもよい。この場合、副スライド部３７は、スライド受け部８５が省略され、押圧部本体８７が、副コイルばね９４に付勢されて、副ガイド部材３５の下面に摺接する。また、ホルダー支持部７４のキャリッジ３１側の面には、Ｘ軸方向に延在して凸部７７が形成されている。凸部７７は、キャリッジ３１に摺接し、往復動に際してキャリッジ３１を支持する。すなわち、キャリッジ３１は、副ガイド部材３５および凸部７７に対して摺接して往復動がガイドされる。これにより、用紙Ｐとインクジェットヘッド３ａとのワークギャップが一定に維持され、精度の良い印刷（記録）を行うことができる。なお、凸部７７は、複数のドット状に形成してもよい。
【符号の説明】
【００７３】
１：記録装置、３ａ：インクジェットヘッド、６：装置フレーム、３１：キャリッジ、３２：ガイド機構、３４：主ガイド部材、３５：副ガイド部材、４７：ローラーホルダー、７３：立設フレーム、７４：ホルダー支持部、７５：連結部、７７：凸部
【図１】
2012187792.tif 000003
【図２】
2012187792.tif 000004
【図３】
2012187792.tif 000005
【図４】
2012187792.tif 000006
【図５】
2012187792.tif 000007
【図６】
2012187792.tif 000008
【図７】
2012187792.tif 000009
【図８】
2012187792.tif 000010
【図９】
2012187792.tif 000011
【図１０】
2012187792.tif 000012